(57)【要約】【課題】無線タグを利用して操作部をドアに設置可能なドア装置を提供する。【解決手段】ドア装置は、建物ＣのドアＤに取り付けた操作部Ｓと、躯体Ｅ部分に配設した検出アンテナ１１と、検出装置１０とを主要な構成要素とし、操作部Ｓは、ＩＣチップ１、タグアンテナ２、及び、タグアンテナ２に直列に組み込んだスイッチ３から成る無線タグＴと、操作ボタン４とを備える。検出装置１０が検出アンテナ１１を通じ常時質問信号を発信する。初期状態では無線タグＴからの応答信号はない。操作ボタン４を押すとスイッチ３が動作し、タグアンテナ２のアンテナ２をＯＮにする。これにより無線タグＴが検出装置１０から送信される電波信号を利用して応答信号を返信する。その結果、検出装置１０が応答信号を検出して検知信号を出力し、この検知信号に基づき呼び鈴３０を駆動させて、室内の家人に来訪者の到着を知らせることができる。【選択図】      図１
2005117124.tif 000002
【特許請求の範囲】
【請求項１】
電波の送受信機能を備える検出装置から発信される電波信号に基づいて応答信号を返信する機能を持つ無線タグを用いて構成した操作部がドア又はドア近傍に設けられ、前記無線タグに信号送信機能を有効又は無効にするスイッチが設けられ、検出装置が無線タグからの応答信号の有無を検出して出力する検知信号に基づき、所定の機器を動作させるように設定されていることを特徴とするドア装置。
【請求項２】
前記操作部を構成する無線タグに設けられるスイッチは、鍵による操作で接点を開閉する構造である請求項１に記載のドア装置。
【発明の詳細な説明】
【技術分野】
【０００１】
本発明は、無線タグを利用することにより、ドア又はドア近傍に呼び鈴などの操作部をきわめて容易に取り付け得るドア装置に関する。
【背景技術】
【０００２】
特許文献１に、ドアホンとインターホーン親機とから成るインターホーン装置が記載されている。この種のインターホーン装置を設置する場合、ドアホンを玄関口に配置すると共に、インターホーン親機を室内適所に配置し、両者を配線接続するというのが一般的である。
【特許文献１】特開２００１−４５１５７公報
【発明の開示】
【発明が解決しようとする課題】
【０００３】
前記従来のインターホーン装置におけるドアホンの設置箇所は、出入口に設けたドアの周辺とするのが普通であり、ドア自体にドアホンが配置されることは殆どなかった。これは、ドアホンとインターホーン親機とは配線で直接接続する必要があり、このため、頻繁に開閉動作されるドアにドアホンを取り付けると、配線作業がきわめて複雑且つ困難になるからである。また、ドア近傍にドアホンを取り付ける場合でも、配線作業が必要であることに変わりはない。
【課題を解決するための手段】
【０００４】
本発明は、呼び鈴等の操作部をドア自体に取り付けることが可能であり、ドア近傍にドアホンを取り付ける場合でも操作部に対する配線作業を不要にできるドア装置の提供を目的とするものである。本発明が採用したドア装置の特徴とするところは、電波の送受信機能を備える検出装置から発信される電波信号に基づいて応答信号を返信する機能を持つ無線タグを用いて構成した操作部がドア又はドア近傍に設けられ、前記無線タグに信号送信機能を有効又は無効にするスイッチが設けられ、検出装置が無線タグからの応答信号の有無を検出して出力する検知信号に基づき、所定の機器を動作させるように設定されていることである。
【０００５】
ここで無線タグとは、例えば検出装置から送信される電波を利用して電力を生起させ、記憶部に保持した情報に基づき受信電波を変調し、応答電波信号を生成させて送信するものである。スイッチは、ドア自体またはドア近傍に設置した操作ボタンなどを押すことによって、無線タグの信号送信機能を有効にするか又は無効化するように動作するものであり、例えばリミットスイッチ・リードスイッチ・マイクロスイッチ・圧電スイッチ・メンブレンスイッチ・加圧導電ゴムスイッチ等が挙げられ、これらを無線タグのアンテナに直列に組み込む構成が考えられる。検出装置は、いわゆる無線タグリーダーを用いることができ、無線タグに対し質問信号を発信し、無線タグからの応答信号を受信すると検知信号を出力するものである。なお、検出装置から出力される検知信号に基づき動作する所定機器とは、呼び鈴、玄関灯・室内灯などの照明装置、訪問者をモニターするためのテレビカメラなどが挙げられる。
【０００６】
本発明に係るドア装置は例えば次のように動作する。検出装置に接続される検出アンテナをドア枠又はドアの近傍に配設し、検出装置から常時電波を送信して、無線タグとの間で電波信号の送受信が随時可能な状態とする。またスイッチは、操作時に無線タグの信号送信機能を有効化するものとする。ドア又はドア近傍に設けた操作ボタン等を押してスイッチを動作させ、無線タグの信号送信機能を有効化すると、無線タグから応答信号が送信される。これを検出装置が検知することにより検知信号を出力し、呼び鈴等の機器を動作させる。このように、本発明に係るドア装置は、無線タグを利用することにより、操作部と、室内等の所望箇所に配置した所定機器との連絡を配線によらずに行えるので、操作部をドア近傍のみならずドア自体に設けることが可能である。しかも操作部は、配線接続が不要なだけでなく、検出アンテナとの交信が可能な範囲で、ドア上の任意箇所に設置できるから、取付作業が容易である。また、操作部をドア近傍の壁面等に設置する場合も、配線が不要であることにより、取付作業が非常に簡単になる。
【０００７】
なお前記ドア装置において、スイッチを動作させると、無線タグの信号送信機能を無効化するように設定することも可能である。この場合、平常時は無線タグから応答信号が発信され、スイッチ動作時に無線タグの信号送信機能が無効になることにより応答信号が途絶する。そして検出装置が、この信号途絶を検出することにより検知信号を出力して、所定機器を動作させるように設定すればよい。
【０００８】
ところで、前記操作部を構成する無線タグのスイッチを、鍵による操作で接点を開閉する構造とすることも考えられる。かかる構成は、例えば、ドアの電子ロックの開閉手段として用いることが可能である。
【発明の効果】
【０００９】
本発明に係るドア装置は、信号送信機能を有効又は無効にするスイッチを備える無線タグを用いて操作部を構成したので、操作部の配線接続が不要になった。それ故、従来困難であったドアの所望箇所に、操作部を配置することが可能であり、設置作業はきわめて簡単になる。またドア近傍に操作部を設ける場合においても、配線接続が不要であることにより、設置容易性が格段に向上する。無線タグは、内蔵電池が不要であるから、操作部の電池残量の管理や電池交換等のメンテナンスを省ける。従って、操作部をドアや壁などに埋め込む構造とするのが容易である。
【００１０】
操作部を構成する無線タグのスイッチを、鍵による操作で接点を開閉する構造とした場合は、防犯上有利なロック構造を提供できる。
【発明を実施するための最良の形態】
【００１１】
［第１の実施形態］
本発明に係るドア装置を呼び鈴に適用した実施形態について説明する。図１（Ａ）に示す如く、本例のドア装置は、建物Ｃに設けられるドアＤに取り付けた操作部Ｓと、ドア枠などのドアＤ周囲における躯体Ｅ部分に配設した検出アンテナ１１と、検出アンテナ１１が接続される検出装置１０とを主要な構成要素とする。また、図１（Ｂ）に示すように、操作部Ｓは、ＩＣチップ１、タグアンテナ２、及び、タグアンテナ２に直列に組み込んだスイッチ３から成る無線タグＴと、スイッチ３を動作させる操作ボタン４とより構成される。なお、タグアンテナ２及び検出アンテナ１１は、電波の受信効率を高めるため、基板上においてコイル状に巻回した面ループ状形態を採用することが可能である。その他、アンテナの形態は、交信に使用する電波の周波数や強度等に基づき変更することを妨げるものではなく、例えば棒状・パッチ状（素子状）・複合パッチ状・面状・スロット状・螺旋状・パターン状など状況に応じ適宜採用することが可能である。
【００１２】
タグアンテナ２に直列に組み込まれるスイッチ３は、初期状態ではアンテナ２をＯＦＦ（回路が開いた状態）に維持し、操作ボタン４の操作と連動してアンテナ２をＯＮ（回路が閉じた状態）にするよう動作する。このようなスイッチとしては、リミットスイッチ・リードスイッチ・マイクロスイッチ・圧電スイッチ・メンブレンスイッチ・加圧導電ゴムスイッチなどが挙げられる。
【００１３】
図２に示すように、検出装置１０は、無線タグＴとの間で随時交信し、操作ボタン４を操作してスイッチ３を動作させ、アンテナ２がＯＮになることにより無線タグＴから送信される応答信号を検出すると、検知信号を出力するものである。検出装置１０から出力される検知信号は、呼び鈴３０の機構部へ直接入力されるよう構成してもよいが、間に制御装置２０を配設してもよい。また検出装置１０から制御装置２０への検知信号の伝達、及び／又は、制御装置２０から呼び鈴３０への制御信号の伝達は、電気配線により有線式で行うほか、電波・光により無線式で行う態様も可能である。
【００１４】
無線タグＴの構造は様々な態様が可能であるが、本例では、図３に示すようなＩＣチップを採用した。図面に示す如く、ＩＣチップの内部構造は、無線通信インターフェースを介してアンテナと接続される受信部及び送信部、受信電波により電力を発生させる電源生成部、電波の復調・変調を制御するＭＰＵ等から成る制御部、当該無線タグの識別情報その他の情報を保持する不揮発性メモリ等から成る記憶部などより構成されている。但し上記無線通信インターフェース・受信部・送信部は、一体に構成される場合もある。また、記憶部を読み取り専用メモリで構成してもよいが、所望により書換可能とする場合は、保持情報の更新又は変更のため、外部通信インターフェース（図示せず）をＩＣチップに備えることが望ましい。
【００１５】
前記ドア装置Ｓの動作を説明すると次の如くである。なおスイッチ３は、初期状態ではアンテナをＯＦＦに維持し、操作ボタン４の操作により動作させた時に、アンテナをＯＮにするものとする。ドアＤの周囲に配設した検出アンテナ１１から、無線タグＴのタグアンテナ２へ向かって、常時質問信号を発信する。初期状態ではアンテナはＯＦＦであり、無線タグＴからの応答信号はない。来訪者などがドアＤに設けた操作ボタン４を押すと、これと連動してスイッチ３が動作し、タグアンテナ２のアンテナをＯＮにする。これにより無線タグＴが、検出装置１０から送信される電波信号をタグアンテナ２で受信し、受信電波のエネルギーを利用して電源生成部で動作用電力を発生させ、制御部により、記憶部に保存されている情報に基づき受信電波を変調させた応答信号を、検出装置１０へ返信する。その結果、検出装置１０が応答信号を検出して検知信号を出力し、この検知信号に基づき呼び鈴３０を駆動させて、室内の家人に来訪者の到着を知らせることができる。
【００１６】
ところで前記ドア装置Ｓは、スイッチ動作によりアンテナをＯＮにするよう設定したものであるが、反対に初期状態ではアンテナをＯＮに維持し、スイッチ動作によりアンテナがＯＦＦになって、無線タグＴからの応答信号が途絶するように構成することも可能である。この場合、検出装置１０は、応答信号の途絶を検出して、検知信号を出力する。また検出アンテナ１１は、必要に応じ、天井裏や床下に配設することも妨げない。
【００１７】
［第２の実施形態］
図４に示すように、１つの操作部Ｓに、ＩＣチップ１とスイッチ３の複数組を配設し、１つの操作部Ｓで複数の機器を操作できるように構成することも考えられる。本実施形態では、１つのタグアンテナ２に、ＩＣチップ１とスイッチ３の複数組を並列に接続することにより、呼び鈴３０のほか、玄関灯や室内灯などの照明装置３１や、来訪者を確認するためのテレビカメラ３２を、ドアＤに設けた操作部Ｓで動作させることを可能にした。
【００１８】
本例の場合、複数のＩＣチップ１それぞれに異なる識別情報を保持させ、アンチコリジョン機能を利用することによって、一個の検出装置１０で複数個のＩＣチップ１と同時に交信可能とするマルチアクセスモードを採用する。これにより、複数の応答信号が同時に送信されたとしても、それらを区別することができる。
【００１９】
［第３の実施形態］
図５は、操作部Ｓに設けられるスイッチ３をシリンダー錠の如き構造とし、アンテナ２のＯＮ・ＯＦＦを、鍵等による開錠・閉錠動作で制御するように構成したものである。本例では、スイッチ３に固定の接点３ａ，３ａと、回動する導通部３ｂとを設け、鍵によって導通部３ｂを接点３ａ、３ａと接触する位置まで回動させると、アンテナがＯＮになるようにした。また、ドアＤと躯体Ｅとの間にソレノイドにより進退駆動されるロッド４０と、鍵穴４１とを設け、このロッド４０の進退動作を、検出装置１０から出力される検知信号に基づき制御するようにした。
【００２０】
本例は、ドアＤの所望箇所に配置した操作部Ｓのスイッチ３を、鍵を用いて操作することにより、アンテナ２をＯＮ又はＯＦＦにすることで、ドアＤと躯体Ｅとの間に設けたソレノイドロッド４０の進退を制御するものであるから、鍵の操作部（スイッチ３）と本体部４０，４１とを分離させた錠前装置を提供することができる。かかる構成は、防犯対策上、きわめて有利と考えられる。
【産業上の利用可能性】
【００２１】
本発明は、戸建て住宅だけでなく、アパート・マンション等の集合住宅、ホテル、オフィス、工場、デパートやスーパーマーケット、官公庁舎・図書館・美術館等の公共施設など各種建物に適用することがでる。これら建物のように多数のドアＤを有している場合、各ドアＤに本発明ドア装置を設け、一本のアンテナ線から成る検出アンテナ１１を躯体壁に配設し、１台の検出装置１０と管理用コンピュータとを用いることにより、建物全部の機器の管理が可能となる。
【００２２】
本発明ドア装置を適用するドアには、あらかじめタグアンテナを埋設しておくことも可能である。これにより、無線タグＴの配置の自由度が格段に増大する。他方、ドアが取り付けられる躯体側のドア枠についても、あらかじめ検出アンテナ１１を埋設した部材を用意すれば、施工作業が簡単になる。
【００２３】
さらに状況に応じ、本発明ドア装置の操作部をドア近傍に設置する構成も可能であり、かかる場合にあっても、操作部に対する配線は不要であるから、操作部の配置を自由に設定できるという利点を有している。
【図面の簡単な説明】
【００２４】
【図１】本発明の第１の実施形態に係るものであって、図（Ａ）はドア装置を適用した建物を示す斜視図、図（Ｂ）は操作部の概略構成を示す正面図である。
【図２】本発明に係るドア装置の概略構成を示す図面である。
【図３】本発明に係るドア装置に用いる無線タグ（ＩＣチップ）の内部構造を概略的に示すブロック図である。
【図４】本発明の第２の実施形態に係るものであって、操作部の概略構成を示すブロック図である。
【図５】本発明の第３の実施形態に係るものであって、操作部の概略構成を示す図面である。
【符号の説明】
【００２５】
Ｓ…操作部  Ｃ…建物  Ｄ…ドア  Ｅ…躯体  Ｔ…無線タグ  １…ＩＣチップ  ２…タグアンテナ  ３…スイッチ  ４…操作ボタン  １０…検出装置  １１…検出アンテナ
【図１】
2005117124.tif 000003
【図２】
2005117124.tif 000004
【図３】
2005117124.tif 000005
【図４】
2005117124.tif 000006
【図５】
2005117124.tif 000007